(57)【要約】  本発明は，封水の蒸発を防止できる「封水剤」を提供することを目的とする。  従来は，封水として，水を用いることしか意図されていなかった。本発明は，あえて，油成分や界面活性剤を「封水剤」として用いるものである。本発明の「封水剤」とは，封水管に投与され，封水の蒸発を効果的に防止する剤を意味する。このようにすることで，油層や乳化層が形成され，その結果，封水が蒸発する事態を効果的に防止できる。また，封水剤を排出する際に，界面活性剤が，油層を乳化するため，効果的に封水剤を排出できる。
2010001595.tif 000002
【特許請求の範囲】
【請求項１】
油，水，及び，非イオン性の界面活性剤を含む，封水剤。
【請求項２】
前記油が，
スピンドル油，トランス油，ニュートラル油，ブライトストック油，石油ナフサ，ガソリン，灯油，軽油，プロセスオイル，流動パラフィン，合成系エーテル油，合成系ポリアルキレングリコール油，合成系ポリアルファオレフィン，アルキルベンゼン油，シリコンオイルの中から選ばれる１種または２種以上のオイルを含む，
請求項１に記載の封水剤。
【請求項３】
前記油がスピンドル油又は流動パラフィンからなる，請求項１に記載の封水剤。
【請求項４】
前記界面活性剤として，ポリオキシエチレンエーテル誘導体を含む，請求項１に記載の封水剤。
【請求項５】
前記界面活性剤として，
下記式１で示される第１のポリオキシエチレンエーテル誘導体及び，
下記式２で示される第２のポリオキシエチレンエーテル誘導体の，いずれか又は両方，を含む，
請求項１に記載の封水剤。
Ｒ１−ＰｈＯ（Ｃｈ２Ｃｈ２Ｏ）ｎＨ    （式１）
（上記（式１）においてＲ１は，炭素数５以上２０以下の直鎖アルキル基，又は炭素数５以上２０以下の分枝アルキル基を示し，Ｐｈはフェニル基を示し，ｎは２以上３０以下の整数を示す。）
Ｒ２−Ｏ（Ｃｈ２Ｃｈ２Ｏ）ｍＨ    （式２）
（上記（式２）においてＲ２は，炭素数１０以上３０以下の直鎖アルキル基，又は炭素数１０以上３０以下の分枝アルキル基を示し，Ｐｈはフェニル基を示し，ｍは２以上１０以下の整数を示す。）
【請求項６】
前記界面活性剤として，
下記式１で示される第１のポリオキシエチレンエーテル誘導体及び，
下記式２で示される第２のポリオキシエチレンエーテル誘導体を含み，
請求項１に記載の封水剤。
Ｒ１−ＰｈＯ（Ｃｈ２Ｃｈ２Ｏ）ｎＨ    （式１）
（上記（式１）においてＲ１は，炭素数７以上１１以下の直鎖アルキル基，又は炭素数７以上１１以下の分枝アルキル基を示し，Ｐｈはフェニル基を示し，ｎは３以上２５以下の整数を示す。）
Ｒ２−Ｏ（Ｃｈ２Ｃｈ２Ｏ）ｍＨ    （式２）
（上記（式２）においてＲ２は，炭素数１６以上２０以下の直鎖アルキル基，又は炭素数１６以上２０以下の分枝アルキル基を示し，Ｐｈはフェニル基を示し，ｍは３以上５以下の整数を示す。）
【請求項７】
前記油及び前記界面活性剤は，食用可能であり，
前記油は，植物性油又は動物性油であり，
前記界面活性剤は，前記油をケン化したもの，又は多価アルコールの脂肪酸エステルである，
請求項１に記載の封水剤。
【請求項８】
前記封水剤に含まれる油と界面活性剤の重量比（油／界面活性剤）が，１０以上５０以下である請求項１に記載の封水剤。
【請求項９】
さらに，防カビ剤又は防腐剤が含まれる，請求項１に記載の封水剤。
【請求項１０】
使用しない封水管に，
油，水，及び，非イオン性の界面活性剤を含む，封水剤を注ぎ，
前記封水管に含まれる封水が蒸発する事態を防止する方法。
【請求項１１】
前記油が，スピンドル油又は流動パラフィンからなり，
前記界面活性剤が，
下記式１で示される第１のポリオキシエチレンエーテル誘導体及び，
下記式２で示される第２のポリオキシエチレンエーテル誘導体からなり，
Ｒ１−ＰｈＯ（Ｃｈ２Ｃｈ２Ｏ）ｎＨ    （式１）
（上記（式１）においてＲ１は，炭素数７以上１１以下の直鎖アルキル基，又は炭素数７以上１１以下の分枝アルキル基を示し，Ｐｈはフェニル基を示し，ｎは３以上２５以下の整数を示す。）
Ｒ２−Ｏ（Ｃｈ２Ｃｈ２Ｏ）ｍＨ    （式２）
（上記（式２）においてＲ２は，炭素数１６以上２０以下の直鎖アルキル基，又は炭素数１６以上２０以下の分枝アルキル基を示し，Ｐｈはフェニル基を示し，ｍは３以上５以下の整数を示す。）
前記封水剤に含まれる油と界面活性剤の重量比（油／界面活性剤）が，１０以上５０以下である，
請求項１０に記載の方法。
【請求項１２】
配水用配管の経路に配置される封水剤であって，
油，水，及び，非イオン性の界面活性剤を含み，
前記水は，前記油よりも多い，
封水剤。
【請求項１３】
前記水は，前記油を１重量部としたときに，３．１重量部以上２０重量部以下である，
請求項１２に記載の封水剤。
【請求項１４】
前記配水用配管内に注がれることで水層上に膜を形成し，
前記膜は，前記配水用配管内に水を流すことにより排出可能な，
請求項１２又は請求項１３に記載の封水剤。
【請求項１５】
前記配水用配管内に流す水は，前記封水剤を１重量部としたときに，少なくとも５重量部である，
請求項１４に記載の封水剤。
【請求項１６】
前記油及び前記界面活性剤は，食用可能であり，
前記油は，植物性油又は動物性油であり，
前記界面活性剤は，前記油をケン化したもの，又は多価アルコールの脂肪酸エステルである，
請求項１２に記載の封水剤。
【請求項１７】
使用しない配水用配管に，
油，水，及び，非イオン性の界面活性剤を含む封水剤であって，前記水が前記油よりも多い封水剤を注ぎ，
前記配水用配管に含まれる封水が蒸発する事態を防止する配管管理方法であって，
前記配水用配管を使用したときに，当該配水用配管内に流された水により前記封水剤が排出される，
配管管理方法。
【請求項１８】
前記配水用配管内に流される水は，前記封水剤を１重量部としたときに，少なくとも５重量部である，
請求項１７に記載の配管管理方法。
【請求項１９】
配水用配管の経路に配置される封水剤であって，
油，水，及び，非イオン性の界面活性剤を含み，
前記水は，前記油よりも多く，かつ，前記油を１重量部としたときに，３．１重量部以上２０重量部以下である，
封水剤。
【請求項２０】
前記油及び前記界面活性剤は，食用可能であり，
前記油は，植物性油又は動物性油であり，
前記界面活性剤は，前記油をケン化したもの，又は多価アルコールの脂肪酸エステルである，
請求項１９に記載の封水剤。
【請求項２１】
配水用配管の経路に配置される封水剤であって，
油としての流動パラフィンと，水と，非イオン性の界面活性剤としてのポリオキシエチレンエーテル誘導体とを含み，
前記水は，前記油よりも多く，
前記封水剤に含まれる水と前記油の重量比（水／油）が，３．１以上２０以下であり，かつ，
前記封水剤に含まれる前記油と前記界面活性剤の重量比（油／界面活性剤）が，１０以上５０以下である，
封水剤。
【発明の詳細な説明】
【技術分野】
【０００１】
本発明は，封水剤に関する。より具体的に説明すると，本発明は，封水が蒸発する事態を効果的に防止できる封水剤や，そのような封水剤を用いた配管管理方法に関する。
【背景技術】
【０００２】
たとえば，浴室の洗い場，洗面台，及びトイレにおいて排水用の配管経路中には，下水側からの悪臭や害虫が侵入できないようにするために排水トラップが設けられている。排水トラップとして，一定の深さで排水を溜め上端に開口が形成された封水室と，封水室の開口から溢れ出した排水を排出する排水口とを有するものがある。封水室には，洗い場に開口する内側筒が挿入されており，洗い場からの排水は，内側筒の下端の開口から封水室に流入し，排水口から排出される。さらに，封水室の側部には，浴槽に開口する排水枝管が接続されている。浴槽からの排水は，排水枝管から封水室に流入し，排水口から排出される。下水側からの悪臭や害虫は，封水室に溜まっている排水（以下，封水という）によって進路を阻まれるので，室内に侵入することはない（例えば，特許文献１参照）。【０００３】
たとえば，マンションが長期間空き部屋である場合がある。また，夏季休暇など長期間学校が休みの場合がある。このような場合，封水が蒸発する事態が生ずる。すると，悪臭や害虫が，屋内に入り込むという問題がある。
【先行技術文献】
【特許文献】
【０００４】
【特許文献１】特開２００１−１８２１１８号公報（日本）
【発明の概要】
【発明が解決しようとする課題】
【０００５】
本発明は，封水の蒸発を防止できる「封水剤」を提供することを目的とする。
【課題を解決するための手段】
【０００６】
すなわち，従来は，封水として，水を用いることしか意図されていなかった。本発明は，あえて，油成分や界面活性剤を「封水剤」として用いるものである。本発明の「封水剤」とは，封水管に投与され，封水の蒸発を効果的に防止する剤を意味する。このようにすることで，油層や乳化層が形成され，その結果，封水が蒸発する事態を効果的に防止できる。また，封水剤を排出する際に，界面活性剤が，油層を乳化するため，効果的に封水剤を排出できる。【０００７】
本発明の第１の側面は，封水剤に関する。そして，この封水剤は，油，水，及び界面活性剤を含む。従来，封水管には，水が入れられていた。そして，この水は封水とよばれ，害虫や臭気が屋内に入り込む事態を防止していた。本発明では，あえて封水管に油や界面活性剤を入れることで，この封水が蒸発する事態を効果的に防止できる。さらに，界面活性剤を含んでいるので，封水剤を排出するため，水を流すと，界面活性剤により油と水が混合し，封水管が詰まることなく封水剤を流すことができる。また，界面活性剤は，非イオン性のものが好ましく，これにより，封水剤の泡立ちを抑え，配水管に封水剤の油成分が固着するのを抑えることができる。【０００８】
本発明の封水剤の好ましいパターンは，「油」として，スピンドル油，トランス油，ニュートラル油，ブライトストック油，石油ナフサ，ガソリン，灯油，軽油，プロセスオイル，流動パラフィン，合成系エーテル油，合成系ポリアルキレングリコール油，合成系ポリアルファオレフィン，アルキルベンゼン油，シリコンオイルの中から選ばれる１種または２種以上のオイルを用いるものである。なお，これらの中では，実施例により実証された「スピンドル油」又は「流動パラフィン」が好ましい。すなわち，本発明の封水剤は，油分として主にスピンドル油又は流動パラフィンからなるものが好ましい。もっとも，スピンドル油や流動パラフィン以外の油が含まれていても構わない。【０００９】
本発明の封水剤の好ましいパターンは，「界面活性剤」として，ポリオキシエチレンエーテル誘導体を含む。実施例で実証されたように，流動パラフィンに対して，ポリオキシエチレンエーテル誘導体を含むことで，効果的に封水の蒸発を防止できる。また，流動パラフィンに対して，ポリオキシエチレンエーテル誘導体を含むことで，封水剤を効果的に排出できる。本発明における「界面活性剤」として，第１のポリオキシエチレンエーテル誘導体及び，第２のポリオキシエチレンエーテル誘導体の，いずれか又は両方，を含むものがあげられる。好ましいものは，第１のポリオキシエチレンエーテル誘導体及び，第２のポリオキシエチレンエーテル誘導体の両方を含むものである。【００１０】
第１のポリオキシエチレンエーテル誘導体は，（式１）で示される。
Ｒ１−ＰｈＯ（Ｃｈ２Ｃｈ２Ｏ）ｎＨ    （式１）
なお，上記（式１）において，Ｒ１は，炭素数５以上２０以下の直鎖アルキル基，又は炭素数５以上２０以下の分枝アルキル基を示し，Ｐｈはフェニル基を示し，ｎは２以上３０以下の整数を示す。【００１１】
好ましい第１のポリオキシエチレンエーテル誘導体は，上記（式１）において，Ｒ１は，炭素数７以上１１以下の直鎖アルキル基，又は炭素数７以上１１以下の分枝アルキル基を示し，Ｐｈはフェニル基を示し，ｎは３以上２５以下の整数を示す。【００１２】
第２のポリオキシエチレンエーテル誘導体は，（式２）で示される。
Ｒ２−Ｏ（Ｃｈ２Ｃｈ２Ｏ）ｍＨ    （式２）
なお，上記（式２）においてＲ２は，炭素数１０以上３０以下の直鎖アルキル基，又は炭素数１０以上３０以下の分枝アルキル基を示し，Ｐｈはフェニル基を示し，ｍは２以上１０以下の整数を示す。【００１３】
好ましい第２のポリオキシエチレンエーテル誘導体は，上記（式２）において，Ｒ２は，炭素数１６以上２０以下の直鎖アルキル基，又は炭素数１６以上２０以下の分枝アルキル基を示し，Ｐｈはフェニル基を示し，ｍは３以上５以下の整数を示す。【００１４】
本発明の封水剤の好ましいパターンは，封水剤に含まれる油と界面活性剤の重量比（油／界面活性剤）が，１０以上５０以下である。このような重量比で油と界面活性剤を含むので，封水が蒸発する事態を効果的に防止できる一方，封水剤を効果的に排出できる。なお，本明細書における「重量」及び「重量％」は，それぞれ，ＳＩ単位における「質量」及び「質量％」に換算して読み替えてもよい。【００１５】
本発明の封水剤の好ましいパターンは，「界面活性剤」として，非イオン性の界面活性剤を含む。非イオン性の界面活性剤としては，エステル結合を含む化合物，エーテル結合を含む化合物，並びに，エステル結合及びエステル結合の双方を含む化合物を挙げることができる。エステル結合を含む界面活性剤としては，グリセリン，ソルビトール，しょ糖等の多価アルコールと，脂肪酸とがエステル結合したもの，すなわち，グリセリン脂肪酸エステル，ソルビタン脂肪酸エステル，しょ糖脂肪酸エステルを挙げることができる。エーテル結合を含む界面活性剤としては，上述したポリオキシエチレンエーテル誘導体を挙げることができる。なお，ポリオキシエチレンエーテル誘導体は，エチレンオキシドの一部がプロピレンオキシドであってもよい。また，ポリオキシエチレンエーテル誘導体の疎水基として，ポリプロピレングリコールを用いてもよく，これにより，界面活性剤の泡立ちをさらに抑えることができる。エステル結合及びエステル結合の双方を含む化合物としては，脂肪酸や多価アルコール脂肪酸エステルにエチレンオキシドを付加したものを挙げることができる。このように，界面活性剤として，非イオン性の界面活性剤を用いることにより，封水剤を効果的に排出できるとともに，封水剤が泡立つことを抑えることができる。【００１６】
本発明の封水剤の好ましいパターンは，「油」及び「界面活性剤」が食用可能である。ここで，食用とは，例えば，日本国の食品衛生法に定められたものをいう。このような食用油としては，植物性油や動物性油を挙げることができる。植物性油の例は，パーム油，アーモンド油，ヤシ油，野菜油，カラパグアイアネンシス種子油，アボカド油，ツバキ油，タートル油，マカデミアナッツ油，トウモロコシ油，ゴマ油，パーシック油，小麦胚芽油，サザンカ油，ヒマシ油，アマニ油，サフラワー油，綿実油，エノ油，大豆油，落花生油，茶実油，カヤ油，コメヌカ油，ホホバ油，キョーニン油，オリーブ油，カロット油，グレープシード油，ナタネ油，ツバキ油，及びホホバ油である。動物性油の例は，卵黄油及びミンク油である。また，食用の界面活性剤としては，上記食用油をケン化したものや，多価アルコール（ソルビタン，しょ糖，グリセリン，プロピレングリコールなど）の脂肪酸エステルを挙げることができる。これらのように，封水剤の全ての成分を食用可能とすることで，封水剤の生体親和性を高めることができるので，人や動物が誤飲したとしても被害が生じることをなくすことができるとともに，微生物による分解が可能となるので，環境への負荷を軽減することができる。なお，封水剤において，「油」及び「界面活性剤」の一方が食用可能であってもよく，この場合，誤飲による被害を最小限に抑えることができるとともに，環境への負荷を軽減することができる。【００１７】
本発明の封水剤の好ましいパターンは，さらに，防カビ剤又は防腐剤が含まれる。すなわち，通常，本発明の封水剤は，長期間使用しない配管に投与される。すると，水部分が腐敗する事態や封水剤が腐敗する事態が生ずる。一方，防カビ剤又は防腐剤が含まれるので，水などが腐敗する事態を防止できる。【００１８】
本発明の第２の側面は，上記した封水剤を用いて配管の維持・管理を行う方法に関する。具体的には，使用しない封水管に，封水剤を注ぐ。すると，配管の封水部に封水剤が貯まる。この封水剤には，油が含まれているので，封水が蒸発する事態を防止できる。一方，この封水剤には，界面活性剤が含まれているので，配管を使用する際に，水を流すと，界面活性剤により油が乳化し，封水剤を効果的に排出できる。【００１９】
本発明の第２の側面の好ましいパターンは，「油」が，スピンドル油又は流動パラフィンからなる。そして，「界面活性剤」が，下記式１で示される第１のポリオキシエチレンエーテル誘導体及び，下記式２で示される第２のポリオキシエチレンエーテル誘導体からなる。【００２０】
Ｒ１−ＰｈＯ（Ｃｈ２Ｃｈ２Ｏ）ｎＨ    （式１）
（上記（式１）においてＲ１は，炭素数７以上１１以下の直鎖アルキル基，又は炭素数７以上１１以下の分枝アルキル基を示し，Ｐｈはフェニル基を示し，ｎは３以上２５以下の整数を示す。）【００２１】
Ｒ２−Ｏ（Ｃｈ２Ｃｈ２Ｏ）ｍＨ        （式２）
（上記（式２）においてＲ２は，炭素数１６以上２０以下の直鎖アルキル基，又は炭素数１６以上２０以下の分枝アルキル基を示し，Ｐｈはフェニル基を示し，ｍは３以上５以下の整数を示す。）【００２２】
そして，水剤に含まれる油と界面活性剤の重量比（油／界面活性剤）が，１０以上５０以下である。【００２３】
実施例により実証されたとおり上記のような封水剤を用いることで，封水が蒸発する事態を効果的に防止でき，配管を使用する際には，封水剤を効果的に排出できる。【００２４】
本発明の第３の側面も，第１の側面と同様に，封水剤に関する。そして，この封水剤は，配水用配管の経路に配置されるものであり，油，水，及び界面活性剤を含み，水は，油よりも多くなっている。また，界面活性剤は，非イオン性のものが好ましい。従来，封水管には，水が入れられていた。そして，この水は封水とよばれ，害虫や臭気が屋内に入り込む事態を防止していた。本発明では，あえて封水管に油や界面活性剤を入れることで，この封水が蒸発する事態を効果的に防止できる。さらに，界面活性剤を含んでいるので，封水剤を排出するため，水を流すと，界面活性剤により油と水が混合し，封水管が詰まることなく封水剤を流すことができる。【００２５】
本発明の第３の側面に係る封水剤の好ましいパターンは，水が，油を１重量部としたときに，３．１重量部以上２０重量部以下である。これにより，排水用配管を使用するときに，封水剤を確実に流すことができる。【００２６】
本発明の第３の側面に係る封水剤の好ましいパターンは，上記封水剤が，配水用配管内に注がれることで水層上に膜を形成する。この場合，膜は，配水用配管内に水を流すことにより排出可能となっている。これにより，封水剤が膜を形成している間は，封水の蒸発を防止することができ，排水用配管を使用するときには，封水剤を流すことができる。【００２７】
本発明の第３の側面に係る封水剤のより好ましいパターンは，配水用配管内に流す水が，封水剤を１重量部としたときに，少なくとも５重量部である。封水剤は，界面活性剤を含んでいるので，このように少量の水によって流すことができる。【００２８】
本発明の第４の側面は，第３の側面と同様に，上記した封水剤を用いて配管の維持・管理を行う方法，具体的には，配管管理方法に関する。この配管管理方法では，まず，使用しない配水用配管に，油，水，及び界面活性剤を含む封水剤であって，水が油よりも多い封水剤を注ぐ。すると，配管の封水部に封水剤が貯まる。この封水剤には，油が含まれているので，封水が蒸発する事態を防止できる。一方，この封水剤には，界面活性剤が含まれているので，配水用配管を使用する際に，水を流すと，界面活性剤により油が乳化し，封水剤を効果的に排出できる。また，界面活性剤は，非イオン性のものが好ましく，これにより，封水剤の泡立ちを抑え，配水管に封水剤の油成分が固着するのを抑えることができる。【００２９】
本発明の第４の側面に係る配管管理方法のより好ましいパターンは，配水用配管内に流される水が，封水剤を１重量部としたときに，少なくとも５重量部である。封水剤には，界面活性剤が含まれているため，このように少量の水によって封水剤を流すことができる。【００３０】
本発明の第５の側面も，第１及び第３の側面と同様に，封水剤に関する。そして，この封水剤は，配水用配管の経路に配置されるものである。具体的には，この封水剤は，油，水，及び界面活性剤を含んでいる。そして，封水剤に含まれる水は，油よりも多くなっており，具体的には，油を１重量部としたときに，３．１重量部以上２０重量部以下とされている。従来，封水管には，水が入れられていた。そして，この水は封水とよばれ，害虫や臭気が屋内に入り込む事態を防止していた。本発明では，あえて封水管に油や界面活性剤を入れることで，この封水が蒸発する事態を効果的に防止できる。さらに，界面活性剤を含んでいるので，封水剤を排出するため，水を流すと，界面活性剤により油と水が混合し，封水管が詰まることなく封水剤を流すことができる。さらに，封水剤に含まれている水が，油を１重量部としたときに，３．１重量部以上２０重量部以下とされているので，排水用配管を使用するときに，封水剤を確実に流すことができる。【００３１】
本発明の第６の側面も，第１，第３，及び第５の側面と同様に，封水剤に関する。そして，この封水剤は，配水用配管の経路に配置されるものである。具体的には，この封水剤は，油としての流動パラフィンと，水と，界面活性剤としてのポリオキシエチレンエーテル誘導体とを含んでいる。そして，封水剤に含まれる水は，上記油よりも多くなっており，具体的には，封水剤に含まれる水と上記油の重量比（水／油）が，３．１重量部以上２０重量部以下となっている。さらに，封水剤に含まれる油と上記界面活性剤（ポリオキシエチレンエーテル誘導体）の重量比（油／界面活性剤）が，１０以上５０以下となっている。従来，封水管には，水が入れられていた。そして，この水は封水とよばれ，害虫や臭気が屋内に入り込む事態を防止していた。本発明では，あえて封水管に流動パラフィンやポリオキシエチレンエーテル誘導体を入れることで，この封水が蒸発する事態を効果的に防止できる。さらに，封水剤が，界面活性剤として，ポリオキシエチレンエーテル誘導体を含んでいるので，封水剤を排出するため，水を流すと，界面活性剤により油と水が混合し，封水管が詰まることなく封水剤を流すことができる。さらに，封水剤に含まれている水が，油を１重量部としたときに，３．１重量部以上２０重量部以下とされているので，排水用配管を使用するときに，封水剤を確実に流すことができる。また，封水剤に含まれる流動パラフィンとポリオキシエチレンエーテル誘導体の重量比（油／界面活性剤）が，１０以上５０以下とされているので，流動パラフィンとポリオキシエチレンエーテル誘導体とが確実に馴染み，排水用配管を使用するときに，封水剤を確実に流すことができる。
【発明の効果】
【００３２】
本発明は，封水剤として油成分を含むため，この油成分が水層上に膜を形成して，水の蒸発を抑える。この結果，封水が蒸発して，悪臭や害虫が室内に侵入する事態を効果的に防止できる。
【図面の簡単な説明】
【００３３】
【図１】図１は，得られた封水剤を示す図面に替わる写真である。
【図２】図２は，封水剤による蒸発防止効果を示す図面に替わるグラフである。
【図３】図３は，実施例において用いた排水管の様子を示す図面に変わる写真である。図３Ａは，空の排水管を示す。図３Ｂは水を入れた状態の排水管を示す。図３Ｃは，封水剤を投与する直前の様子を示す。図３Ｄは，封水剤を投与する際の様子を示す。
【図４】図４は，封水剤を投与した後の封水管の様子を示す図面に替わる写真である。図４Ａは１分後，図４Ｂは５分後，図４Ｃは１０分後，図４Ｄは３０分後，図４Ｅは１２時間後，図４Ｆは２４時間後を示す。
【図５】図５は，封水剤を排出する際の様子を示す図面に替わる写真である。図５Ａは，封水剤を排出する準備段階を示し，図５Ｂは封水剤を排出した後の様子を示す。
【発明を実施するための形態】
【００３４】
本発明の第１の側面は，封水剤に関する。そして，この封水剤は，油，水，及び界面活性剤を含む。従来，封水管には，水が入れられていた。そして，この水は封水とよばれ，害虫や臭気が屋内に入り込む事態を防止していた。本発明では，あえて封水管に油や界面活性剤を入れることで，この封水が蒸発する事態を効果的に防止できる。さらに，界面活性剤を含んでいるので，封水剤を排出するため，水を流すと，界面活性剤により油と水が混合し，封水管が詰まることなく封水剤を流すことができる。また，界面活性剤は，非イオン性のものが好ましく，これにより，封水剤の泡立ちを抑え，配水管に封水剤の油成分が固着するのを抑えることができる。
【００３５】
本明細書における「封水管」として，流し台，洗面の配水管に取り付けられた封水管のほか，トイレの排水部に設けられた封水管も含まれる。
【００３６】
本発明の封水剤の好ましいパターンは，「油」として，スピンドル油，トランス油，ニュートラル油，ブライトストック油，石油ナフサ，ガソリン，灯油，軽油，プロセスオイル，流動パラフィン，合成系エーテル油，合成系ポリアルキレングリコール油，合成系ポリアルファオレフィン，アルキルベンゼン油，シリコンオイルの中から選ばれる１種または２種以上のオイルを用いるものである。なお，これらの中では，実施例により実証された「スピンドル油」又は「流動パラフィン」が好ましい。すなわち，本発明の封水剤は，油分として主にスピンドル油又は流動パラフィンからなるものが好ましい。もっとも，スピンドル油又は流動パラフィン以外の油が含まれていても構わない。
【００３７】
本発明の封水剤の好ましいパターンは，「界面活性剤」として，ポリオキシエチレンエーテル誘導体を含む。実施例で実証されたように，流動パラフィンに対して，ポリオキシエチレンエーテル誘導体を含むことで，効果的に封水の蒸発を防止できる。また，流動パラフィンに対して，ポリオキシエチレンエーテル誘導体を含むことで，封水剤を効果的に排出できる。本発明における「界面活性剤」として，第１のポリオキシエチレンエーテル誘導体及び，第２のポリオキシエチレンエーテル誘導体の，いずれか又は両方，を含むものがあげられる。好ましいものは，第１のポリオキシエチレンエーテル誘導体及び，第２のポリオキシエチレンエーテル誘導体の両方を含むものである。
【００３８】
第１のポリオキシエチレンエーテル誘導体は，（式１）で示される。
Ｒ１−ＰｈＯ（Ｃｈ２Ｃｈ２Ｏ）ｎＨ    （式１）
なお，上記（式１）において，Ｒ１は，炭素数５以上２０以下の直鎖アルキル基，又は炭素数５以上２０以下の分枝アルキル基を示し，Ｐｈはフェニル基を示し，ｎは２以上３０以下の整数を示す。
【００３９】
好ましい第１のポリオキシエチレンエーテル誘導体は，上記（式１）において，Ｒ１は，炭素数７以上１１以下の直鎖アルキル基，又は炭素数７以上１１以下の分枝アルキル基を示し，Ｐｈはフェニル基を示し，ｎは３以上２５以下の整数を示す。
【００４０】
さらに好ましい第１のポリオキシエチレンエーテル誘導体は，ポリオキシエチレンノニルフェニルエーテル（Ｃ９Ｈ１９−ＰｈＯ（Ｃｈ２Ｃｈ２Ｏ）ｎＨ）である。
【００４１】
上記（式１）において，「Ｒ１−ＰｈＯ」において，Ｒ１−基は，Ｏ−基の位置に対して，オルト位，メタ位，又はパラ位のいずれに位置してもよい。これらの中では，Ｒ１−基が，Ｏ−基の位置に対して，パラ位にあるものが好ましい。
【００４２】
第１のポリオキシエチレンエーテル誘導体は，第２のポリオキシエチレンエーテル誘導体にくらべて分子量の分布が広いものが好ましい。このために，第１のポリオキシエチレンエーテル誘導体として，複数種類のポリオキシエチレンエーテル誘導体を用いるものが好ましい。具体的には，ｎが３以上５以下，１４以上１６以下，及び１９以上２１以下の３つの領域に重量平均分子量の分布ピークが存在するものが好ましい。具体的には，光散乱などを用いて封水剤に含まれる成分を分析する際に，ポリオキシエチレンノニルフェニルエーテルの所定の分子量の位置にピークが存在するものがあげられる。
【００４３】
第２のポリオキシエチレンエーテル誘導体は，（式２）で示される。
Ｒ２−Ｏ（Ｃｈ２Ｃｈ２Ｏ）ｍＨ        （式２）
なお，上記（式２）においてＲ２は，炭素数１０以上３０以下の直鎖アルキル基，又は炭素数１０以上３０以下の分枝アルキル基を示し，Ｐｈはフェニル基を示し，ｍは２以上１０以下の整数を示す。
【００４４】
好ましい第２のポリオキシエチレンエーテル誘導体は，上記（式２）において，Ｒ２は，炭素数１６以上２０以下の直鎖アルキル基，又は炭素数１６以上２０以下の分枝アルキル基を示し，Ｐｈはフェニル基を示し，ｍは３以上５以下の整数を示す。
【００４５】
さらに好ましい第２のポリオキシエチレンエーテル誘導体は，ポリオキシエチレンオレイルエーテル（Ｃ１８Ｈ３５−Ｏ（Ｃｈ２Ｃｈ２Ｏ）ｍＨ）である。
【００４６】
本発明の封水剤が，第１のポリオキシエチレンエーテル誘導体及び第２のポリオキシエチレンエーテル誘導体の両方を含む場合，その重量による配合比（第１／第２）は，１以上１０以下があげられ，２以上５以下でもよい。なお，第１のポリオキシエチレンエーテル誘導体及び第２のポリオキシエチレンエーテル誘導体は，エチレンオキシドの一部がプロピレンオキシドであってもよい。また，ポリオキシエチレンエーテル誘導体の疎水基として，ポリプロピレングリコールを用いてもよく，これにより，界面活性剤の泡立ちをさらに抑えることができる。また，ポリオキシエチレンエーテル誘導体の親油性部分の炭素数を，封水剤の油成分の炭素数と近くすることで，界面活性剤と油成分とを馴染みやすくすることができる。一方で，ポリオキシエチレンエーテル誘導体の親油性部分の炭素数を，封水剤の油成分の炭素数とが近すぎると，乳化させた後に，界面活性剤と油成分との分離が進まなくなる。したがって，界面活性剤としては，上述したようなポリオキシエチレンエーテル誘導体を用いることが最も好ましい。
【００４７】
本発明の封水剤の好ましいパターンは，「界面活性剤」として，非イオン性の界面活性剤を含む。非イオン性の界面活性剤としては，エステル結合を含む化合物，エーテル結合を含む化合物，並びに，エステル結合及びエステル結合の双方を含む化合物を挙げることができる。エステル結合を含む界面活性剤としては，グリセリン，ソルビトール，しょ糖等の多価アルコールと，脂肪酸とがエステル結合したもの，すなわち，グリセリン脂肪酸エステル，ソルビタン脂肪酸エステル，しょ糖脂肪酸エステルを挙げることができる。エーテル結合を含む界面活性剤としては，上述した第１のポリオキシエチレンエーテル誘導体や第２のポリオキシエチレンエーテル誘導体を挙げることができる。エステル結合及びエステル結合の双方を含む化合物としては，脂肪酸や多価アルコール脂肪酸エステルにエチレンオキシドを付加したものを挙げることができる。このように，界面活性剤として，非イオン性の界面活性剤を用いることにより，封水剤を効果的に排出できるとともに，封水剤が泡立つことを抑えることができる。
【００４８】
本発明の封水剤の好ましいパターンは，「油」及び「界面活性剤」が食用可能である。ここで，食用とは，例えば，日本国の食品衛生法に定められたものをいう。このような食用油としては，植物性油や動物性油を挙げることができる。植物性油の例は，パーム油，アーモンド油，ヤシ油，野菜油，カラパグアイアネンシス種子油，アボカド油，ツバキ油，タートル油，マカデミアナッツ油，トウモロコシ油，ゴマ油，パーシック油，小麦胚芽油，サザンカ油，ヒマシ油，アマニ油，サフラワー油，綿実油，エノ油，大豆油，落花生油，茶実油，カヤ油，コメヌカ油，ホホバ油，キョーニン油，オリーブ油，カロット油，グレープシード油，ナタネ油，ツバキ油，およびホホバ油である。動物性油の例は，卵黄油及びミンク油である。また，食用の界面活性剤としては，上記食用油をケン化したものや，多価アルコール（ソルビタン，しょ糖，グリセリン，プロピレングリコールなど）の脂肪酸エステルを挙げることができる。これらのように，封水剤の全ての成分を食用可能とすることで，封水剤の生体親和性を高めることができるので，人や動物が誤飲したとしても被害が生じることをなくすことができるとともに，微生物による分解が可能となるので，環境への負荷を軽減することができる。なお，封水剤において，「油」及び「界面活性剤」の一方が食用可能であってもよく，この場合，誤飲による被害を最小限に抑えることができるとともに，環境への負荷を軽減することができる。
【００４９】
本発明の封水剤の好ましいパターンは，封水剤に含まれる油と界面活性剤の重量比（油／界面活性剤）が，１０以上５０以下である。このような重量比で油と界面活性剤を含むので，封水が蒸発する事態を効果的に防止できる一方，封水剤を効果的に排出できる。なお，封水剤は，使用に際して，適宜水で薄めて用いてもよい。ただし，水で薄める場合には，油と界面活性剤の重量比が上述した範囲内にあることが好ましい。これは，上述した油と界面活性剤の重量比の範囲が，誰がどのような封水に対して封水剤を目分量（例えば５０ｃｃ）で投入しても問題なく上記効果を奏することが可能な範囲となるように研究した成果であるからである。また，封水管に存在する水の量にあわせて適宜使用量を調整してもよい。なお，油と界面活性剤の重量比は，２０以上３０以下でもよい。
【００５０】
本発明の封水剤の好ましいパターンは，封水剤に含まれる水が，油よりも多くなっておる。これにより，油中水型（Ｗ／Ｏ型）のエマルションを形成しやすくすることができる。したがって，このため，本発明の封水剤は，配水管において使用される水によって，容易に排出することができるようになっている。すなわち，本発明は，配水管において使用される水を積極的に利用するものである。より好ましいパターンでは，油を１重量部としたときに，３．１重量部以上２０重量部以下部とされている。すなわち，封水剤に含まれる水と油の重量比（水／油）が３．１重量部以上２０重量部以下である。これにより，排水用配管を使用するときに，封水剤を確実に流すことができる。このように，封水剤を流しやすくすることで，配水管に封水剤の油成分が残存するおそれをなくすことができる。なお，封水剤に含まれる水の配合割合が過度に高くなると，油成分が少なくなる。したがって，封水剤に含まれる水の上限は，油を１重量部としたときに，例えば，２０重量部である。なお，水の配合割合の上限は，配水管の直径や，配水管の封水の体積などに応じて変わるのはいうまでもない。
【００５１】
本発明の封水剤の最も好ましいパターンは，封水剤に含まれる油としての流動パラフィンを使用し，界面活性剤としてポリオキシエチレンエーテル誘導体を用いるものである。流動パラフィンとポリオキシエチレンエーテル誘導体とは，炭素鎖の長さが比較的近いため，互いに良く馴染み，良好なエマルションを形成することができる。これにより，排水用配管を使用するときに，封水剤を確実に流すことができる。さらに好ましくは，封水剤において，流動パラフィンとポリオキシエチレンエーテル誘導体の重量比（油／界面活性剤）を，１０以上５０以下とする。これにより，流動パラフィンとポリオキシエチレンエーテル誘導体とを確実に馴染ませることができる。より好ましくは，封水剤に含まれる水と流動パラフィンとの重量比（水／油）を３．１重量部以上２０重量部以下とする。これにより，流動パラフィンとポリオキシエチレンエーテル誘導体とをよく馴染ませることで，良好なエマルションを形成することができることとなる。また，界面活性剤として，ポリオキシエチレンエーテル誘導体を用いることで，封水剤が泡立ちにくくなる。これは，ポリオキシエチレンエーテル誘導体が非イオン性の界面活性剤であるために，エマルションを形成しても，静電的な反発力が働かないためである。このように，封水剤の泡立ち（発泡性）を抑えることにより，配水管に油成分が固着することを抑えることができる。なお，この最も好ましいパターンにおいて，流動パラフィンに代えて，スピンドル油を用いてもよい。
【００５２】
本発明の封水剤の好ましいパターンは，さらに，防カビ剤又は防腐剤が含まれる。すなわち，通常，本発明の封水剤は，長期間使用しない配管に投与される。すると，水部分が腐敗する事態や封水剤が腐敗する事態が生ずる。一方，防カビ剤又は防腐剤が含まれるので，水などが腐敗する事態を防止できる。防カビ剤及び防腐剤として，公知のものを適宜用いることができる。
【００５３】
本発明の封水剤は，上記の原料を混合することにより製造できる。なお，染色剤，香料などを適宜添加してもよい。
【００５４】
本発明の第２の側面は，上記した封水剤を用いて配管の維持・管理を行う方法に関する。具体的には，使用しない封水管に，封水剤を注ぐ。なお，使用前には，十分に封水剤を攪拌することが好ましい。また，１度の使用量は５０ｃｃ程度が好ましい。すると，配管の封水部に封水剤が貯まる。この封水剤には，油が含まれているので，封水が蒸発する事態を防止できる。一方，この封水剤には，界面活性剤が含まれているので，配管を使用する際に，水を流すと，界面活性剤により油が乳化し，封水剤を効果的に排出できる。
【００５５】
本発明の第２の側面は，先に説明した封水剤の様々なパターンのものを用いることができる。実施例により実証されたとおり上記のような封水剤を用いることで，封水が蒸発する事態を効果的に防止でき，配管を使用する際には，封水剤を効果的に排出できる。
【実施例１】
【００５６】
以下の組成の封水剤を製造した。封水剤原液の組成は，水分及び香料が７６重量％，流動パラフィンが２３重量％，界面活性剤が１重量％であった。この原液に微量の防腐剤及び染料を添加した。香料として，小川香料株式会社製ペパーミントフレバーを添加した。流動パラフィンとして，新日本石油株式会社製ハイホワイト７０を用いた。ハイホワイト７０は，石油系炭化水素率１００％の流動パラフィンである。界面活性剤として，三洋化成工業株式会社製ノニポール４０，及び同ノニポール２００，ミヨシ油脂株式会社製ＮＰ−ＥＯＡ７０，青木油脂工業株式会社製ＥＮ−１５０４を混合したものを用いた。ノニポール４０は，平均付加モル数約４のポリオキシエチレンノニルフェニルエーテルである。ノニポール２００は，平均付加モル数約２０のポリオキシエチレンノニルフェニルエーテルである。ＮＰ−ＥＯＡ７０は，平均付加モル数１５未満のポリオキシエチレンノニルフェニルエーテルである。ＥＮ−１５０４は，平均付加モル数４のポリオキシエチレンオレイルエーテルである。また，防腐剤として，アーチケミカルズ・ジャパン株式会社製ＰＲＯＸＥＬ２（Ｓ）を用いた。染料として，日本化薬株式会社製  ＫＡＹＡＮＯＬ  ＭＩＬＬＩＮＧ  ＴＵＲＱＵＯＩＳＥＢＬＵＥ  ３Ｇ（Ａｃｉｄ  Ｂｌｕｅ１８５）を用いた。【００５７】
各成分を混合したところ，２液に分離した封水剤を得ることができた。図１は，得られた封水剤を示す図面に替わる写真である。
【実施例２】
【００５８】
実施例１の流動パラフィンに替えてスピンドル油を用いた他は実施例１と同様にして封水剤を製造した。
【実施例３】
【００５９】
蒸発防止検査
実施例１で製造した封水剤１００ｇ，実施例２で製造した封水剤１００ｇ，及び実施例１において流動パラフィンを含まない水溶液１００ｇをそれぞれ３００ｃｃ用ビーカーに入れた。そして，温度１０５℃の雰囲気のもとで水分が蒸発する様子を検査した。その結果を表１及び図２に示す。図２は，封水剤による蒸発防止効果を示す図面に替わるグラフである。【００６０】
【表１】
2010001595.tif 000003
【００６１】
表１において，水溶液のみは対照実験を示す。表１において，水溶液＋パラフィンは実施例１で製造した封水剤を示す。表１において，水溶液＋スピンドルは，実施例２において製造した封水剤を示す。表１又は図２から，本発明の封水剤を添加したものは，加熱状況の下でも水分が蒸発しないことが示された。
【実施例４】
【００６２】
封水剤の使用状況確認実験
次に，封水剤の使用状況を確認するための実験を行った。この実験では，実施例１で製造された封水剤を用いた。図３は，実施例において用いた排水管の様子を示す図面に変わる写真である。図３Ａは，空の排水管を示す。図３Ｂは水を入れた状態の排水管を示す。図３Ｃは，封水剤を投与する直前の様子を示す。図３Ｄは，封水剤を投与する際の様子を示す。図３Ａに示されるように，この実施例では，直径２．５ｃｍの塩化ビニル製パイプを用いた。これは，塩化ビニルパイプが透明であり，パイプ内の様子を見ることができるからである。図３Ｂに示されるように，水道水が収容される。パイプに封水剤を投与するまでに，封水剤を十分に攪拌した。攪拌する前は，封水剤は，油層と水層（及び乳化層）に分離されていた。しかし，攪拌することで，図３Ｃに示されるように，封水剤は，あわ立った状態となった。図３Ｄは，封水剤を投与する際の様子を示す。この例では，ビーカーを用いて封水剤を投与している。実際は，専用容器などを用いて封水剤を投与してもよい。【００６３】
図４は，封水剤を投与した後の封水管の様子を示す図面に替わる写真である。図４Ａは１分後，図４Ｂは５分後，図４Ｃは１０分後，図４Ｄは３０分後，図４Ｅは１２時間後，図４Ｆは２４時間後を示す。図４Ａに示されるように，封水剤を投与後１分で，水層（実際は青く着色している）と乳化層が生じた。図４Ｂに示されるように，封水剤を投与後５分で，油膜が形成された。図４Ｃ及び図４Ｄに示されるように，次第に，水層が水道水に溶け込んでいった。図４Ｅに示されるように，封水剤を投与後１２時間で，水層が水道水のほぼ全体にいきわたったが，完全に均一な水層とはなっていないことがわかる。一方，油膜と乳化層がはっきり形成されたことがわかる。図４Ｆに示されるように，封水剤を投与後２４時間で，完全に均一にはなっていないが，水層が水道水のほぼ全体にいきわたったことがわかる。【００６４】
図５は，封水剤を排出する際の様子を示す図面に替わる写真である。図５Ａは，封水剤を排出する準備段階を示し，図５Ｂは封水剤を排出した後の様子を示す。図５Ａに示されるように，本実施例では，封水剤を排出するため，５００ｃｃの水道水を用意した。図５Ｂに示されるように，５００ｃｃの水道水でほぼ完全に封水剤が排出されたことがわかる。
【実施例５】
【００６５】
水と油の最適化
また，封水剤に含まれる水と油の配合割合について最適化を図るため，配合割合を変えて実験を行った。具体的には，封水剤において，流動パラフィン（油）の重量とポリオキシエチレンエーテル誘導体（界面活性剤）の重量を一定とし，水の重量（重量部）を変化させた。そして，得られた各封水剤を，撹拌により均一化させた後，同じ分量１００ｇを配水管の封水トラップに使用した。その後，配水管に水を流すことで封水剤を排出させることを試みた。このようにして，実施例５では，各封水剤の排出性を評価する実験を行った。その結果を表２に示す。【００６６】
なお，表２における排出性とは，封水剤が１０重量部の水で排出されるかどうかを示している。具体的には，封水剤が５重量部の水で排出された場合には，排出性が最も優れている「◎」と評価し，１０重量部の水で排出された場合には，排出性が十分に高い「○」と評価し，１０重量部より多くの水で排出された場合には，排出性がやや劣る「△」と評価し，３０重量部以上の水で排出された場合には，排出性が悪い「×」と評価した。
【表２】
2010001595.tif 000004
【００６７】
表２から分かるように，封水剤に含まれる水と油の重量比（水／油）が３．３重量部以上であるときに，封水剤の排出性が最も優れていることが分かった。また，同比が３．１重量部以上であれば，封水剤の排出性は，十分に高いことが分かった。すなわち，封水剤に含まれる水と油の重量比（水／油）は，３．１以上が好ましく，３．３以上が最も好ましいことが分かった。なお，封水剤に含まれる水の配合割合が過度に高くなると，油成分が少なくなり，封水剤として機能しなくなるのはいうまでもない。さらに，実施例５において，流動パラフィンに代えても，スピンドル油を用いても同等の効果が得られた。
【産業上の利用可能性】
【００６８】
本発明は，封水剤という新たな剤に関するので，建物用の化学品の分野で有効に利用されうる。
【図１】
2010001595.tif 000005
【図２】
2010001595.tif 000006
【図３】
2010001595.tif 000007
【図４】
2010001595.tif 000008
【図５】
2010001595.tif 000009
【国際調査報告】
2010001595.tif 000010
2010001595.tif 000011
2010001595.tif 000012
2010001595.tif 000013